(57)【要約】【課題】  本発明は、摩擦力に頼らず機械的な部材の係合によって確実にネジの緩みを防止するためのナットで、分解する必要が生じた時に取り外しも容易であるという相反する要望を解決するものであり、確実で信頼性が高く取扱上利便性が高い緩み防止ナットを提供するものである。【解決手段】  ナットの中心軸と直角な片面の外周部付近に中心軸と同心の円筒状突起を設け、該円筒状突起に軸方向に並行な半径方向の溝を複数個等間隔に設け、板状部材の外周に該溝の数と一致しない複数の突起を軸方向に折り曲げて等間隔に設け、該板状部材の中央の穴に内向き突起を設け、前記ナットと該板状部材を組み合わせた構造の緩み防止ナットを提供する。【選択図】図１
2013170630.tif 000002
【特許請求の範囲】
【請求項１】
ナットの中心軸と直角な片面の外周部付近に中心軸と同心の円筒状突起を設け、該円筒状突起に軸方向に並行な半径方向の溝を複数個等間隔に設け、該円筒状突起２の内部に設けた板状部材の外周に、該溝の数と一致しない複数の突起を軸方向に折り曲げて等間隔に設け、該板状部材の中央の穴に内向き突起を設け、前記ナットと該板状部材を組み合わせた構造としたことを特徴とする緩み防止ナット。
【請求項２】
円筒の状突起の先端部を肉の薄い形状として内周方向に曲げその内径を、板状部材の外周に設けた複数の突起が形成する外径よりも小さく形成したことを特徴とする請求項１記載の緩み防止ナット。
【発明の詳細な説明】
【技術分野】
【０００１】
本発明は、機械及び建築などに広く利用されるネジの緩みを防止するためのナットに関するものであり、特に摩擦力に頼らず機械的な部材の係合によって確実にネジの緩みを防止するためのナットに関するものである。
【背景技術】
【０００２】
従来、ネジの緩み防止の方法としては溝付きのナットと穴のついたボルトを割りピンで固定する方法や、部分的に偏芯した突起を有するナットを他のナットの凹部と組み合わせて摩擦力を高める方式などがある。
【先行技術文献】
【特許文献】
【０００３】
【特許文献１】特願２０００−２７９８２２号公報  上記文献が示すものは、テーパー状の凹部を有する２個のナットの間に偏芯した凸部を有するネジ部材をはさみ両方のナットで締め付ける方式のものである。
【０００４】
しかるに、割ピンを用いる方法では固定できる角度が一般に６０°トビとなり充分な締め付け力を得られないことが多く、締め付け後に穴加工を行う場合は極めて作業能率が悪い。また、偏芯した突起を利用する方式のものはあくまでも摩擦力に依存するものであるために完全なゆるみ止め効果を保証できるものではない。
【０００５】
特にベアリングなどの固定においては偏芯荷重によって固定部に偏った応力を発生させるので回転性能を損なう可能性があり使用できない。
【０００６】
本来、摩擦力に頼らず機械的な部材の係合によって確実にネジの緩みを防止するためのナットが望まれる一方、保守などの理由で分解する必要が生じた時に取り外しも容易であることが強く望まれている。
【発明の概要】
【発明が解決しようとする課題】
【０００７】
本発明が解決しようとする課題は、この様に相反する要望を解決するものであり、摩擦力に頼らず機械的な部材の係合によって確実にネジの緩みを防止し、しかも保守などの理由で、分解する必要が生じた時に取り外しも容易な緩み防止ナットを提供するものである。
【課題を解決するための手段】
【０００８】
本発明の上記課題を解決するための手段は、ナットの中心軸と直角な片面の外周部付近に中心軸と同心の円筒状突起を設け、該円筒状突起に軸方向に並行な半径方向の溝を複数個等間隔に設け、板状部材の外周に該溝の数と一致しない複数の突起を軸方向に折り曲げて等間隔に設け、該板状部材の中央の穴に内向き突起を設け、前記ナットと該板状部材を組み合わせた構造のネジの緩み防止ナットを提供することである。
【発明の効果】
【０００９】
本発明の第１の効果は、板状部材の中央の穴に設けた内向き突起を雄ネジ部材に設けた溝に係合せしめ、板状部材の外周部に設けた突起のうちの１個を外周側に開いてナットの溝に係合せしめることによりネジの緩みを防止することが出来ることである。
【００１０】
本発明の第２の効果は、板状部材の外周部に設けた突起の数はナットの溝の数と異なる為、両者の数の差によって生じる角度差を利用すれば、板状部材の外周部に設けた突起のどれかがナットの溝のどれかに合うようにネジ絞め具合を調整することは容易であり、それによるネジ絞め量の不足はきわめて小さいことである。
【００１１】
本発明の第３の効果は、板状部材の外周部に設けた突起はナットの溝との係合によって完全にネジの緩みを防止できる一方、何らかの理由で緩めたい時は該突起を曲げ戻して溝との係合を外すことによって容易にナットを緩めることが出来ることである。
【図面の簡単な説明】
【００１２】
【図１】図１は本発明の緩み防止ナットの１実施形態を示した側断面図である。
【図２】図２は本発明の緩み防止ナットの１実施形態を示した平面図である。
【発明を実施するための形態】
【００１３】
本発明の緩み防止ナットをその性能を損なわない範囲で簡略化して実現するための実施形態を示す。
【実施例】
【００１４】
図１は、本発明の緩み防止ナットの１実施形態を示した側断面図であり、図２はその平面図である。
図１及び図２において、ナット１の中心軸と直角な片面の外周部付近に中心軸と同心の円筒状突起２を設け、該円筒状突起に軸方向に並行な半径方向の溝３を複数個等間隔に設け、該円筒状突起２の内部に設けた板状部材４の外周に、該溝の数と一致しない複数の突起５を軸方向に折り曲げて等間隔に設け、該板状部材４の中央の穴６に内向き突起７を設け、前記ナット１と該板状部材４を組み合わせた構造のネジの緩み防止ナットを形成している。８は雄ネジ部材であり、該雄ネジ部材８には溝９が設けられ、板状部材４の中央の内向き突起７と係合している。１０は被締め付け部材であり１１はバネ性を有するスプリングワッシャーである。本発明の緩み防止ナット１と組み合わせる場合、傘状のスプリングワッシャーであることが望ましい。
［作用］
【００１５】
上記実施形態に示す本発明の緩み防止ナットの作用について説明する。本発明の緩み防止ナットを使用する場合は、通常のナットと同様に雄ネジ部材８の溝９に板状部材４の内向き突起７を係合させて状態で絞めこんでゆく。このとき板状部材４はナット１との間で自由に回転することが出来る。スプリングワッシャー１１が充分に撓んで締め付け力が得られた時、板状部材４の突起５のうち、ナット１の溝３に合った位置のものを外側に開き曲げて該溝３と係合させる。この場合、仮にナット１の溝３の数が６０度ごとの６個であり、板状部材４の突起５の数が５1．４度ごとの７個であったとすれば、円周中のどこかで両者の角度の誤差は８．６度以下となるはずである。この誤差であればナット１の締め具合の調整で突起５と溝３の角度位置を合わせても前述のスプリングワッシャー１１の効果で締め付け力が不足することはない。特にベアリングなどの精密な組合せにおいては、ナット１の溝３の数と板状部材４の突起５を夫々１２個と１３個とすることも可能であり、この場合の両者の角度は３０度と２７．７度であり、その差は２．３である。このような組合せでは極めて正確な締め付け固定が可能となることは自明のことである。その上、偏芯部材の利用に頼ることはないので、締付力の偏りによる不具合を発生することがない。スプリングワッシャー１１に傘状のものを推奨する理由はナットの緩み防止機能が確実である為にスプリングワッシャーは回り止めの機能は不要であり、締め付け力の安定性を高める機能のみに徹することが出来るからである。
【００１６】
ナット１と板状部材４の脱落は円周の状突起２の先端部１２を内周方向に曲げてその内径を板状部材４の外周に設けた複数の突起５が形成する外径よりも小さく形成することで防止することが出来る。これはナット１と板状部材４の組合せ時に機械的な行程で行うことが出来るが、板状部材４の突起５をナット１の溝３に合わせて外側に開き曲げる時に行っても良い。この場合は先端部１２の内のいくつかを曲げれば良く、全てを曲げる必要はない。この行程を容易にするためには円周状の突起２の先端部１２は肉の薄い形状としておくことが望ましい。
【００１７】
もし、保守その他の何らかの理由で取り外す必要が生じた場合は、開き曲げた突起５を元の状態に曲げ戻せばよいので特別な機械加工などは必要なく極めて容易である。
【産業上の利用可能性】
【００１８】
上記構造のネジ緩み防止ナットは、摩擦力に頼らず機械的な部材の係合によって確実にネジの緩みを防止し、しかも保守などの理由で分解する必要が生じた時に、取り外しも容易な緩み防止ナットを提供するものである。その信頼性はきわめて高く、精密機械及び振動、撓みを受ける重機から橋梁その他の保守作業の困難な建築設備にも広く利用することが出来、その産業状の効果は極めて著しい。
【符号の説明】
【００１９】
１    ナット
２    円筒状の突起
３    半径方向の溝
４    板状部材
５    突起
６    穴
７    内向き突起
８    雄ネジ部材
９    溝
１０  被締め付け部材
１１  スプリングワッシャー
１２  先端部
【図１】
2013170630.tif 000003
【図２】
2013170630.tif 000004